(57)【要約】【課題】各別に優れた吸塵があり、一旦吸塵すると容易には外れない粘着性があり、微小な空間にも容易に適用でき、切断しても紙粉の発生がない材料であり、クリーンルーム内、家庭内や実験施設内の清掃用具や着衣等として、又は化学薬品等の粉体の保持材として利用できる材料を提供する。【解決手段】  特定の柔軟な紙に、特定の粘着剤を特定量、特定の方法で付着させ、被粘着物に対する粘着力も、自己の粘着面同士の粘着力も小さくした柔軟な粘着性の紙である。【選択図】  図２
2006137894.tif 000002
【特許請求の範囲】
【請求項１】
粘着性を有する紙であり、
該紙の原料たる基準台紙は坪量が５〜１００ｇ／ｍ2であり、
該布の剛軟性をカンチレバー法で測定するとき２０ｍｍ以下であり、
該紙の粘着剤の付着された粘着力を発現する面は平坦でなく、
該粘着剤の付着量は、該紙を構成する基準台紙に対して８〜２００重量％であり、
該紙の粘着力は１  〜  ７０ｇであり、
該紙の粘着性を有する面同士を接触させての粘着力は１  〜  １００ｇであり、
ことを満足する柔軟な粘着性紙。
【請求項２】
粘着剤がアクリル系粘着剤、酢酸ビニール系粘着剤、ビニールエーテル系粘着剤、シリコン系粘着剤、ゴム系粘着剤のいずれかを主成分とする粘着剤である請求項１の粘着性紙。
【請求項３】
用途が、家庭やオフィス用の掃除用材、クリーンルーム用の掃除用材、クリーンルーム内の帽子や着衣、衣服や玩具のホコリ取り、ポストイット用材、軟膏用の被覆材、包帯用材、化学薬品粉体の保持担体である請求項１の粘着性紙。
【発明の詳細な説明】
【技術分野】
【０００１】
本発明は多量のゴミ、埃を吸塵でき、一旦吸塵すると容易には外れない粘着性のある紙に関する。特に、本発明の紙は、通常の粘着シートと異なり非常に柔軟であり、しかも異物を付着するのに適切な、即ち強すぎず、弱すぎない粘着力があり家庭内での通常の床掃除の他、衣服や玩具等の異物を効的に粘着除去するのに使用できる。  更に、一旦吸塵すると容易には外れない性質に加えてハサミで等の刃物で切断しても紙粉が発生しないことから異物に対して厳しい基準を要求されるクリーンルーム等で使用する帽子、衣服類、掃除用具、製剤用備品として利用できる他、危険性や毒性にある試薬類を扱う試験研究施設内で机上掃除等に使える。更に、面にしたとき適度の表面粘着性を有するのでポストイットの代わりにメモや小物の物体等を壁等に一時的に掲示するのに両面テープとして使用できる。更に、本発明の紙は多量の粉体を広い面積で付着でき、しかも微細構造がネット状であり本品を構成する繊維間を液体や気体が比較的小さい抵抗で通過できる性質を利用して香料、脱臭剤、活性炭、ゼオライト、化学反応触媒等の粉体など付着させ、芳香剤、脱臭剤、反応制御用の保持材等としても利用できる。
【発明の開示】
【発明が解決しようとする課題】
【０００２】
床面等に落ちた塵、埃等のゴミ類を粘着して除去する方法は公知であり、多くの製品が市販され、又特許等によりその他の提案も数多く存在する。かかる製品の代表的なものはフイルムや布や紙等のシート状物の片面に粘着剤を塗布するか、ラミネートしてシート状物の片面上に粘着層から成る粘着面を設けたもの（既存の粘着シート）で、それを通常は１０〜３０ｃｍ幅に裁断してロール状に巻いたものである。大概の製品にはロールの装着用具とロールが床面を転がるようにした支持装置と取り扱いのためのハンドルが取り付けてあり、使用者はハンドルを持って粘着面が床等の被清掃面に接触するようにこのロールを転がすと床面等にあるゴミ類が粘着面に付着するというものであり、平坦な床面等を掃除するときに便利である。しかし、かかる既存の粘着シートを用いて例えば凹凸のある面とか、壁と床の接合面のような、所謂、部屋の隅とか、家具類と壁との間にできた例えば１０ｃｍしかない隙間とか、畳表の井草の重なりが成す山と谷のうち谷の部分に落ち込んだ部分とかのような柔軟な薄い布か刷毛の先等しか入らない空間の掃除はできない。
【０００３】
かかる場所の掃除用としては、例えば濡れ雑巾とか、シリコンオイル等を染み込ませて静電気力で異物をとるようなモップ類か、あるいは電気掃除機等が用いられているのが現状である。濡れ雑巾は、使い勝手が悪い上に、水を使う点、更には雑巾から二次的な異物を発生させる点で家庭とかの、所謂、異物の管理が問題とならない場所でしか使えない。モップ類は掃除用具としては粘着シートよりも普及している。しかし、モップ類は原理的に異物を静電気で付着しているので、僅かの衝撃でも一旦付着した異物が落下する等問題があるなどその異物除去性能に問題がるし、モップの毛が落下したりして二次的な異物を発生することがある。
【０００４】
例えば、高度のクリーンルームで着用する衣服に付着した異物は厳密な異物管理が必要であり、エヤーシャワーで着衣についた異物や髪の毛を吹き飛ばすように設計されているが、実際には静電気等で付着したかかる異物は風力では飛ばしての除去は難いので、通常はエヤーシャワーに入る前にまず粘着シート等を利用してできるだけ異物を除去した後にエヤーシャワーを利用するという具合に併用したりしている。このとき、使用する粘着シートとしてはロール式の粘着シートが重宝がられている。モップ等では役にたたないからであり、雑巾類も役にたたない。問題は、かかる既存の粘着シートでは、着衣に付着した表面付近、例えば、腹とか背中とか、肩の一部の凸部的な部分の異物を取り除くのみであり、人の体にそって複雑な形状をした全体を取り除くのは難しく、エヤーシャワーでも十分でない点である。
【０００５】
既存の粘着シートを小さくして使用とすると粘着面同時が貼りつき、どうにも取り扱いできなくなる現象を経験することもしばしばである。これは、一般には、粘着させて異物を取り去るという粘着シートのそもそもの目的上、その粘着する面同士が接触したときに粘着するのは自然のことと考えられているから、かかる問題は取り扱いの問題であり、粘着面同士が接触しないように製品で工夫するというのが従来の考えであると考えられる。従って、柔軟な素材の面に粘着層が設けられた粘着シートでも、その粘着面は離型フイルムや離型紙のような所謂ライナーが取り付けてあり、使用時にそのライナーを取り除く等して使用するのであり、とにかく粘着面同士は粘着しないようにされている。ほとんど当然の如く、かかる粘着シートはその面の片面のみに粘着性が付与されている。従って、かかる片面粘着性の粘着シートは折り曲げて使用すると、逆に粘着付着効率が落ちる面もある。
【０００６】
確かに、両面粘着性の材料として、両面粘着テープなるもがあるが、これは2つの面材料を張り合わせるものであり、粘着力が強く、その目的上、被接着面に適用し易いように適度の硬さを持たせているのであり、柔軟性と粘着性の面でクリーニング剤として使用するには問題がある。その他にも、粘着性はないが、極微細な繊維の織物や編物を用いその極微細繊維間に異物を挟みこむ原理でのメガネ拭き布が普及しているが、このものは柔軟に構成されており、折り畳むようにして用いることも可能でありメガネの隅から隅まで付着した異物を取り除くことができる。しかし、既存の粘着シートでかかる柔軟なものは存在しない。柔軟な基材に粘着層を設けたものはあるが、上述のメガネ拭きのように折り畳むようにして用いる場合、粘着層同士を強く圧着することが起こるわけであり、そのような一見理に反するようなことを想定したものは存在しないのである。
【０００７】
本発明において、かかる粘着シートの基材たる台紙に紙を用いるが、一般に、紙はセルロース等からなる短繊維をベースとしてその外に充填剤としてクレイ等多種の添加物を含むため、かかる紙の粘着シートはハサミ等の刃物で切断するとき原料や添加物からの紙粉と言われる埃を出すのも問題である。このことは台紙の表面付近にしか粘着剤のない既存の粘着シートでも同じことである。そこで、粘着シートであって、高度なクリーンルーム等で使用する粘着シートの基材には、態々、ポリエステル、ポリエチレン、ポリプロプレン等のプラスチック材料等のそれ自体からは異物を発生しない材料をベースとする紙や不織布を使用すると指定する場合が圧倒的に多いのである。かかる紙や、あるいは不織布に樹脂を全体に含浸させて雨具、テント用シート等としたものはあるが、基準台紙を繊維間に余裕もない程度に固めた構造であり当然製品は硬くなり、しかも粘着性もない。低い見掛け密度不織布にバインダー樹脂をコートさせたフイルター用材料等も粘着性を付与したものでないし、本発明が目的とする粘着性、柔軟性や異物捕捉性能をもつものではない。
【０００８】
上記の現状に鑑み、本発明が解決しようとする課題のその一つは柔軟な布や糸束からなるクリーニングワイパー並の使い良さで、クリーニング粘着シートなみにゴミ、埃を確実性で捕捉し、必要な大きさに裁断してもゴミ、埃が発生せず、しかも微小な窪みや狭い隙間にも適用できる柔軟で安価なクリーニング材を提供することである。
【０００９】
特に、一度捕獲した埃、粉体などが再落下する危険性が非常が少なく、ハサミ等で切断しても、埃などを出さないものであり、家庭内や一般事務所はもとより、極端に塵、埃を嫌う医薬品や、電子部品等の高度な空気清浄度を要求される高度なクリーンルーム内等の空間でも安心して、しかも効率的に使用できるような安価な材料を提供することである。
【００１０】
また、ほとんどの種類の粉体を確実に、しかも非常に薄い厚みで、比表面積（粉体の固まりの表面部面積／粉体の体積）を大にして保持でき、本発明の粘着性の紙は粉体類の保持材として、例えば反応装置内での反応物質、触媒などの保持材として、あるいは洗剤や、抗菌剤・雑菌剤、殺虫剤・防虫剤、香料、染料・顔料、吸着剤、揮発剤などに利用できる材料を提供することである。
【００１１】
また、従来の両面テープと異なり、取り外し、取り付けが可能で、しかも取り扱い性によい安価な両面粘着性の材料としても使用できる安価な材料を提供することである。
【課題を解決するための手段】
【００１２】
上記の課題を解決するために鋭意検討の結果、本発明に到達したものである。  即ち、埃を確実性で捕捉するのは、静電気力に頼るのではなく、又確実性の低い微小な繊維間で誇りを挟むのではなく、粘着力で確実に付着させるのが最善であると考えるので感圧接着剤たる粘着剤を用いるのであり、微小な窪みや狭い隙間にも適用できるようにするためには製品が柔軟である必要があるので基準台紙にもソフトな紙か薄めの布から資源の保護と製造のコストの面及び十分な柔軟性の面から紙を選択するのであり、その上で、紙を素材とする粘着シートを切断したとき紙粉を発生するのを防ぐ工夫が必要であるので構造を工夫し、また、いくらソフトであっても粘着面同時が接触したとき粘着面同士がくっ付き粘着性能が落ちない工夫と、同時に、ゴミ等の対象物を確実に粘着させるのに十分な粘着力の発現に工夫が必要であった。
【００１３】
即ち、本発明の粘着性の紙は、粘着性を有する紙であり、
（ア）該紙の原料たる基準台紙は坪量が５〜１００ｇ／ｍ2であり、
（イ）該布の剛軟性をカンチレバー法で測定するとき２０ｍｍ以下であり、
（ウ）該紙の粘着剤の付着された粘着力を発現する面は平坦でなく、
（エ）該粘着剤の付着量は、該紙を構成する基準台紙に対して８〜２００重量％であり、
（オ）該紙の粘着力は１  〜  ７０ｇであり、
（カ）該紙の粘着性を有する面同士を接触させての粘着力は１  〜  １００ｇである
ことを満足する柔軟な粘着性紙である。
【００１４】
本発明で用いる原料たる基準台紙は通常の紙の内、ＪＩＳ Ｐ ８１２４に基づいて測定された坪量が５〜１００ｇ／ｍ2であり、本発明で粘着剤を付与したとき、その柔軟性がJIS  L１０９６に基づいて測定されたカンチレバー法で測定する剛軟性が２０ｍｍ以下となるものであればよく、かかる台紙は空隙率が５０〜９０％あるのであり、例えばグラシン紙等は適当でないが、通常のソフトな公知の天然セルロース主体、あるいは合成繊維を複合させた紙等を利用できる。具体的には、家庭用の薄葉衛生用紙たるティシュペーパー、実験机上の零れものや機械の油等の汚れを拭くのに用いられている紙雑巾たるワイピングペーパークロス、家庭用のキッチンペーパークロス、トイレットペーパー等であり、かかる台紙もその柔軟性をカンチレバー法で測定すると、その剛軟性が２０ｍｍ以下である。本発明において、台紙の坪量が５ｇ／ｍ2以下であると本発明の目的であるクリーニング材等として用いるとき使い難く、破損しやすいので実用的でなくなり、逆に１００ｇ／ｍ2以上であると扱いは容易となるが、本発明が既存の粘着シートと異なり微小な空間でも掃除できるという特徴が発揮され難くなる。特に、好ましい坪量は１０〜６０ｇ／ｍ2である。従来の粘着シートは紙を台紙とする場合、その台紙の坪量は１００ｇ／ｍ2以上が多い。本発明の粘着性紙は微小なる空間の異物でも捕捉できるが、そのための別の一つの要件として基準台紙が柔軟でなければならない。既存の粘着シートでも、原料コストを下げるための目的で、紙を台紙として使用するとき薄い材料を使用することがあり、その結果としてやや柔軟な紙となることがあるが、本来の目的からは柔軟性を指向しないことが多い。しかし、本発明の粘着性紙は粘着剤の選択とその適用方法も工夫して粘着剤面同士の粘着力を小さくしているので、本発明の目的である微小なる空間の異物でも効率的に捕捉できるようにするために台紙の柔軟性は高い程、好ましいのである。少なくとも、カンチレバー法で測定するとき、台紙の剛軟性は２０ｍｍ以下が必要であり、更に好ましくは１０ｍｍ以下である。かかる原料台紙を用い、後述の粘着剤を所定量、所定の方法で付着させて、粘着性紙としての剛軟性も２０ｍｍ以下、更に好ましくは１０ｍｍ以下とするのである。かかる本原料台紙がかかる柔軟性を与え、更に本発明の効果を出すように粘着剤を付与できるためには、構造体として内部にどれだけの空隙を有するかが大切であり、見掛け密度が関係する。紙はパルプ、添加物、合成繊維等の原材料や製造方法により様々な内部構造や密度をとることが可能であるが、本発明では空隙は大きい、密度は小さい方が好ましいのであり、空隙率では５０〜９０％、見掛け密度では０．１〜０．７ｇ/ｃｍ３が好ましく、更に好ましくは見掛け密度が０．１〜０．６ｇ/ｃｍ３である。この好ましい範囲の上限を超えると付与した粘着剤が面を形成するようになり付着効率が低下するし、下限以下となると取り扱い性が悪くなる。
【００１５】
本発明のアクリル系粘着剤とは、アルキル基の平均炭素数３〜１４の（メタ）アクリル酸アルキルエステルを少なくとも２５重量％共重合させて得られた粘着剤をいい、本発明では、粘着剤が粘着性の紙からクリーニングの対象物に移行しないことが必要であるが、そのためには、適度の粘着性、接着性と高度の内部凝集性、かつ優れた耐溶媒性が必要であり、かかる観点から、炭素数４以上のアルキル基の(メタ)アクリルを少なくとも５０〜９８モル％、アクリル酸及び／又はメタアクリル酸２〜５０％を共重合させたアクリル系樹脂が好ましい。炭素数４以上のアルキル基の(メタ)アクリルエステルとしては、例えばオクチル（メタ）アクリレート等のあげることができる。かかるアクリル系粘着剤は１種あるいは２種以上を複合して用いてもよい。
【００１６】
又、皮膚に優しいという点で酢酸ビニール系粘着剤も好ましい。本発明の酢酸ビニール系粘着剤とは、酢酸ビニールを１０〜９０重量％、炭素数４以上１４以下のアルキル基の(メタ)アクリル酸エステルを１０〜９０重量％、及び（メタ）アクリル酸を０〜１５重量％共重合させた粘着剤であり、かかる粘着剤にはビニールブチルエーテルなどのその他の成分が共重合されていてもよい。
【００１７】
また、耐候性が優れている点ではシリコン系粘着剤も使用可能である。本発明のシリコーン系粘着剤としては、末端シラノール官能直鎖状ジメチルポリシロキサンと三次元構造のシリケートレジンの縮合反応生成物からなる粘着力剤をいう。
【００１８】
又、本発明のゴム系粘着剤の例として、スチレンーブタジエンースチレンゴム２０〜７０重量％に水添ロジン２０〜５０重量％、流動パラフィンを５〜１５重量％を混合して得た粘着剤などの他、その他の合成ゴム、天然ゴムを挙げることができる。
【００１９】
本発明において、かかる粘着剤は単独に用いてもよく、混合して用いてもよい。更にかかる粘着剤に、酸化チタン、ゼオライト、カーボンなどの粉体、流動パラフィン、グリセリンなどの液体を粘着剤中に０．５〜３０重量％添加して用いてもよい。さらに、かかる粘着剤には、必要に応じて、内部凝集力を高めるための架橋剤、抗菌剤、界面活性剤、香料、甘味料、染料・顔料、増量剤、柔軟材、粘膜保護・修復作用を有する薬物等を１種又は組み合わせて含有させることが可能である。例えば、アズレン、塩化リゾチーム、塩化セチルピリジニウム、クロルヘキシジン、銀ゼオライド、酸化チタン、サイアベンダゾール、クロトリマゾール、キシロカイン、第４級アンモニウム塩抗菌剤、ビタミンＣ等の各種ビタミン剤、トラネキサム酸、アミノカプロン酸、各種抗生物質、ヨード剤、サッカリン、グリチルリチン酸ジカリウム、尿素、流動パラフィン、ポリエチレングリコール、グリセリン、プロピレングリコール、マルチトール、スクワレン、スクワラン、トウガラシ、ハーブ等の天然生物抽出物、炭酸カルシウム、シリカ、リン酸カルシウム、酸化亜鉛、酸化チタン、天然石、遠赤外線発生の石やセラミック、絹繊維等、又はその成分を使用することもできる。かかる添加剤は粘着剤１００部に対して、通常０．１〜１０部程度であるが、抗菌剤等のような薬剤の場合は０．０１〜３部程度で十分である。又、クリーニング布として床面を拭き掃除するときに床面との摩擦を少なくする目的で、該粘着剤対比０.００１〜１０重量部の流動パラフィン、シリコンオイル、ポリエチレングリコール、脂肪酸などを添加してもよい。
【００２０】
粘着力を適正化する方法として、一般的な方法は、粘着剤の種類を見直したり、粘着層の厚みを薄くしたり、粘着剤に架橋剤を添加したり添加物を加える等して組成を変化したりして粘着力を低下して適正化するのが一般的であるが、このようにして粘着力そのものを弱くすると結局、その粘着剤からできた粘着層に目的とする埃が付着したとき、その粘着力が落ちることになり粘着紙の性能が低下することになるのである。本発明では、本製品の粘着面同士が接触しても強く粘着しないが、目的とする埃とは十分に強く粘着するという一見矛盾する性能を出させるものである。何故、かかることが可能となるか、その原理とは、単純に考えると粘着面が埃を粘着するとき、その粘着は埃の面と、粘着面との面同士の粘着を想像しがちであるが、実際には、埃は立体構造であり、このものを粘着して除くのには粘着面が面である必要はないのであり、むしろ、面でない方が立体構造たる埃を高い確度で捕捉できる可能性があることを発見したのである。このことから、本発明の粘着性紙は粘着性を発揮する面が平坦な面でないように工夫されており、本発明の粘着性紙の粘着面同士が接触しても強くは粘着しないのであり、しかし、粘着剤そのものは適切な粘着力を持っており、本来立体構造体たる埃に対しては十分に、あるいは、従来の平坦は面からなる粘着シートよりは優れた埃捕捉性を有し、粘着面が平坦でないことは、それだけ粘着する有効面積が大きいことであり、粘着できる埃も多くなるのである。かかる新規なる原理に基づくので、本発明の粘着性紙の粘着力はは１  〜  ７０ｇであり、しかも該紙の粘着性を有する面同士を接触させての粘着力は１  〜  １００ｇであるのである。粘着性紙の粘着力が１g以下では、本発明の目的である埃の付着性能が不十分となるのであり、７０ｇ以上ではクリーングに使用するときに被対象物に粘着する感じとなり好ましくない。特に、好ましい粘着性紙の粘着力は１〜５０ｇである。又、該紙の粘着性を有する面同士を接触させたときに粘着力も重要であり、本発明においては粘着層の面を平坦でないように工夫することで、粘着剤そのものは粘着力はあるのも関わらず粘着性を有する面同士の粘着力は適正とできるが、その値が１ｇ以下では、本発明の目的である埃の付着性能が不十分となるのであり、１００ｇ以上では、本発明の粘着性紙を折り曲げて使用したとき粘着面同士が強く粘着する感じとなり使用性が問題となる。粘着性を有する面同士の粘着力の、より好ましい範囲は１〜７０ｇである。実用的で簡便な評価方法としては、幅３０ｍｍ、長さ１６０ｍｍの短冊状とした粘着性紙を粘着面がむき出しになるように４０ｍｍの長さで4つ折りして試験片を作り、この試験片を幅１００ｍｍ、深さ１０ｍｍ、間口隙間５ｍｍの木板製の長方体の窪みに差込み、この窪みの中に塵が板壁上に積もっていると想定してこの塵を取る時の様に、前後に10回移動させた後取り出し、試験片の折りたたみを元の短冊状に戻す方法がある。本発明の粘着性紙は、被粘着面との粘着力が小さいので取り出すのも問題でなく、粘着面同士の粘着力も小さいので元の短冊に戻すことができ、その上に、この短冊状試料を異なる寸法で折り曲げて再度塵を取ることも可能である。市販の粘着シートでは、かかる狭い隙間に入れると粘着面が隙間材料に粘着し動かすことができないし、できるだけ隙間材料に強く触れないように動かしても、元の短冊状には戻せない。折り曲げた面を更に元に戻すことが出来る場合は、新たな面で異物を粘着できることであり、既存品と本発明の粘着紙の効果の差が大きい理由の一つとなる。即ち、本発明の製品粘着性紙は粘着面同士を接触させた後、該粘着面同士を、製品粘着性紙を破損することなく、再剥離できることも特徴となる。
【００２１】
尚、ここでいう粘着性紙の粘着力とは、JIS１５２３に準拠した日本薬局方の絆創膏の「粘着力試験」法で測定するものであり、試料を幅１２ｍｍ、長さ２００ｍｍに裁断したものを試験片とし、幅２５ｍｍ、長さ１２５ｍｍ、厚み５ｍｍのフェノール樹脂製に試験片に貼り付けて、１８０度剥離力を測定したものである。ここでいう粘着面同士の粘着力も日本薬局方の絆創膏の「粘着力試験」法と同じ方法によるが、試験片は幅１２ｍｍ、長さ２００ｍｍの試験片の粘着面同士（試験片Aと試験片B）を軽く貼り合わせた後、質量８５０ｇのゴムローラーを通過させた後、試験片の片方の試験片Aは上に、試験片Bは下方に引っ張った時の剥離力をいう。
【００２２】
本発明では、粘着剤の付着量は、該紙を構成する基準台紙に対して８〜２００重量％であり、粘着剤量が８％以下では、粘着剤が該紙を構成する基準台紙に行き渡らない。既存に粘着シートでは粘着層が基準台紙の片面や両面の表面付近のみに面として設けられるので８％以下でも十分な粘着力を発揮することが多いが、既存のかかる粘着剤は厚さのある台紙の中央あたりには粘着剤が殆どあるいは完全に存在しないのでかかる既存の粘着シートを切断すると、この付近から紙粉が発生することになるのである。逆に、本発明においては、基準台紙に対する粘着剤量が２００％を超えるとあたかも紙の繊維が粘着剤の中に埋もれた構成に近くなり、本発明が目標とする高い異物捕捉性が困難となり、粘着面同士の粘着力の強くなる。特に、好ましい付着量は基準台紙に対して８〜１００重量％である。
【００２３】
本発明の紙を裁断し、その断面を電子顕微鏡や光学顕微鏡等で写真等で観察すれば、粘着剤は本発明の粘着性紙を構成する台紙の上面、下面はかりでなく、全面の殆どに行き渡っているのであり、従来の粘着シートとは基本的に異なるのである。従来のものを文献で説明すると、例えば “紙塗工”（室井著、１９９２年高分子刊行会出版）が詳しく本書籍に１２６頁の表５．２に通常の紙塗工がどのようなものであるかが図で示してあるし、１３４頁の図５．１１には紙塗工での不良品発生の説明がされている。しかし、本発明の粘着性紙が指向するのは、正に、従来の紙塗工では問題とされる図５．１１陥没の方であり、更に単に陥没だけでなく、本発明の説明図４（a）に示した如く、少なくとも粘着紙の表面付近では、紙を構成する繊維の断面周囲を覆うようにしたものである。即ち、本発明の粘着性紙の断面を電子顕微鏡や光学顕微鏡等で写真等観察したとき、その表面付近は平坦ではなく微小なる凹凸をもっているのであり、この断面の表面の長さに占める凹面の割合が２０％以上あるのである。通常の粘着シートでは基本的に平坦であり凹面の割合は殆ど０から１０％程度であり、この微小構造の違いと表面に出ている粘着層の厚みの違いが粘着面同士を接触させたときの粘着力の差となる。本発明の粘着性布は使用する粘着剤は粘着力が強くても粘着面同士を面では接触し難いため粘着力が弱いが、立体構造体である埃等に対しては、逆に面でないため粘着性を発揮できるのである。
【００２４】
本発明において、平坦さの指標としての表面の凹面の割合は切断面を顕微鏡等で拡大観察するとかで簡単に観察できる。例えば、５０  〜１００μｍ程度の厚さで大きさが３０ｃｍ×３０ｃｍ程度の透明なポリエステルフイルムを下に敷き、その上に２０ｃｍ×２０ｃｍ程度にした本粘着布を平らな切断用の塩ビシートの上に広げ、その紙上に更に下敷きと同じの大きさが２２ｃｍ×２２ｃｍ程度のポリエステルフイルムを乗せて、この積層物の上面の切断する部分の上を粘着力を測定するときと同じように８５０ｇの重量のローラーで加圧してから鋭利な剃刀でポリエステルフイルムと本粘着布の両方を同時に切断したときに出来るポリエステルフイルムと粘着面との境界面付近での断面を顕微鏡観察することで定量化できる。厳密に数値化する場合は切断場所を液体窒素等で冷凍すると粘着剤が切断のときに変形するのを防止できる。ここでいう凹凸とは粘着面が波長10ｍｍ程度以上で波状になっているとか、曲がっているとかではなく、数ミクロンから５ｍｍ以内の切断断面の長さ範囲で凹凸があり、ポリエステルフイルムに凸部が接触している部分と凹部が接触していない部分があるという意味である。
【００２５】
上述の引用文献でも示したとおり、かかる本発明の粘着紙の構造の粘着層を設けるのは簡単ではない。即ち、布に粘着剤を付着させる方法には大きく分けると塗工法と、ディピング法（布を粘着剤の溶液に浸漬して引き上げる方法）がある。塗工法には更に様々な方法があるが、通常は紙台紙の上に直接粘着剤を塗工する方法（直塗法）であり、あるいは一旦別に粘着層を製造しておき、しかる後、この粘着層を紙面にラミネートする方法がある。本発明では、先ず、台紙の選択が重要であり、前述のとおりソフトな紙で、密度の低い台紙を選択したこと、次に粘着剤を選択し、その量を適正化することが必須であり、その上、粘着剤を酢酸エチル、メチルエチルケトン、アセトン、キシレン、トルエン、メタノール、エタノール、ヘキサン、ヘプタン、クロロホルム、ジオキサン、塩化メチレン等の単独又は混合有機溶媒に固形分濃度が５〜８０％になるように溶解したものを使うのが好ましく、或いは、粘着剤を固形分濃度  ５〜８０％のスラリーとして用いて、台紙全体に液が行き渡るように塗工したりして含浸させるのである。通常、紙にはかかる粘着剤溶液が浸透しにくいので、塗工工程において粘着剤溶液が共存する紙台紙を回転ローラー等で加圧したり扱いたりするのが効果的である。かかる、塗工工程で粘着剤溶液を含浸させた台紙は風乾燥か、４０〜１６０℃の温度で加熱乾燥して溶媒を除去して本発明の粘着性紙とすることができる。
【００２６】
本発明の効果を高めるために、本発明の粘着性紙の片面又は/及び両面の粘着面に見掛け、取り扱い性、滑り性、粘着性等を調整するためにネット、布帛、紙、金属、プラスチック、木製等からなるシート状物その他の補助用具を取り付けてもよい。更には、台紙や粘着性布にエンボス加工等を施して、粘着力や異物捕捉効率を調整することも可能である。
【００２７】
又、本発明の粘着性紙は、クリーンルームや家庭等で手に直接持って使用することが多いため、他の文具やガムテープの場合よりも更に安全性が重要であり、使用する粘着剤及び残留モノマーや残量溶媒が大切である。本発明の粘着性紙では粘着剤起因の残量モノマーは該粘着剤基準で０．１５％以下であり、残量溶媒も該粘着剤基準で１００ｐｐｍ以下が好ましい。この好ましい範囲は、単に安全性のみでなく、使用したときの手に残る粘着感、ベトつきに関係し、残留モノマーが少ない程さらっとして感じとなり好ましい、残量溶媒が１００ｐｐｍを超えても粘着性能には影響しないが、使用しないときプラスティック製袋に入れて保管した後、再度使用するとき等に薬臭いという臭いを与えることがある。残量モノマーや残量溶媒の管理には、これらの要因を管理項目として製造時に乾燥条件を管理し、高い温度、長い乾燥時間、適切な乾燥装置を採用することが必要である。かかる観点から、特に好ましい粘着剤はアクリル系粘着剤とシリコン系粘着剤である。
【００２８】
以下、実施例により本発明を説明するが、本発明は該実施例に拘束されるものではない。
実施例中の部、％及び比率はいずれも重量基準である。
【実施例１】
【００２９】
台紙として市販のティッシュペーパー（Ｋｌｅｅｎｅｘ）を用いた。本台紙は大きさが２０ｃｍ×２３ｃｍであり２枚が一対となっており、その２枚対の物の坪量は２２ｇ/ｍ２であった。粘着剤として市販のアクリル酸メチル・アクリル酸―２-エチルへキシル共重合体からなるアクリル系粘着剤TS-620（市販品、以下ＴＳ粘着剤）を酢酸エチルの１０％溶液としたものを用いた。台紙１ｇに対して、本粘着剤の酢酸エチル溶液５ｇを添加して十分に台紙を溶液で濡らした後、１００℃の温風乾燥機で３０分乾燥した溶媒を除去し、基準台紙に対して粘着剤が５０％付与された粘着性紙を得た。本粘着性布の粘着力は５ｇであり、粘着面同士の粘着力は７ｇであった。本品は乾燥状態で手に触るとやや粘着力を持っているのが分かる程度の粘着性を有しており、ソフトで肌触りの良いものであった。畳面１００ｃｍ２に粉末の小麦粉を１ｇ撒き、本粘着性紙１枚（重量１．５ｇ）で拭いた。小麦粉は、畳の隙間のものを含めてきれいにふき取れた。一旦、付着した小麦粉は紙の面から落下することもなかった。入手できた市販の粘着シートでは、繰り返し小麦粉の上を面を変えながら擦ることで要約表面付近の粉のみを除去できたのみであり、畳目の粉は殆どとれなかった。シリコーンを含浸させた静電気型のモップの方が粘着シートより粉の除去効果が大きかったが、畳の隙間の粉は取れなかった。更に、このモップの場合、モップを強く振ると一旦付着した粉が落下した。粘着剤を付与していない本実施例の台紙であるティシュでは粉は殆ど取れなかったので、水に濡らして使用したところ粉は取れたように見えたが零れた場所が乾燥した後に観察すると粉が多く残留していた。
【実施例２】
【００３０】
実施例１で得た粘着性紙で実験机上や顕微鏡の周りに永年の間に蓄積した埃を拭いた。複雑な顕微鏡装置の各部を含め、机上も実にきれいに掃除できた。机上にも、顕微鏡装置にも粘着剤が残ることもなく、正に、メガネ拭きで眼鏡を拭く感覚で掃除できた。メガネ拭きより異物捕捉が確実であった。実験室机上の粉末薬物も簡単に除去でき、しかも安価であるので、そのまま使い捨てができ、高価なメガネ拭き等より便利と判定された。
【実施例３】
【００３１】
台紙として市販のＪＫワイパー１５０−Ｓ（Ｋｌｅｅｎｅｘ）を用いた。本台紙は大きさが２２．５ｃｍ×２１．５ｃｍであり坪量は２９ｇ/ｍ２であった。粘着剤として市販のアクリル酸メチル・アクリル酸―２-エチルへキシル共重合体からなるアクリル系粘着剤TS-620（市販品、以下ＴＳ粘着剤）を酢酸エチルの１０％溶液としたものを用いた。台紙１００部に対して、本粘着剤の酢酸エチル溶液６００部を添加して十分に台紙を溶液で濡らした後、１００℃の温風乾燥機で３０分乾燥した溶媒を除去し、基準台紙に対して粘着剤が６０％付与された粘着性紙を得た。本粘着性布の粘着力は８ｇであり、粘着面同士の粘着力は１５ｇであった。本品は乾燥状態で手に触るとやや粘着力を持っているのが分かる程度の粘着性を有しており、ソフトであった。畳面１００ｃｍ２に粉末の小麦粉を１ｇ撒き、本粘着性紙１枚（重量１．５ｇ）で拭いた。小麦粉は、畳の隙間のものを含めてきれいにふき取れた。実施例１の粘着性紙に比較して、本実施例の粘着性布は腰があり取り扱い性は良好であった。
【実施例４】
【００３２】
実施例３で得た粘着性紙１枚、重量２．３ｇに活性炭素の粉末を０．５ｇを付着させた。このものは活性炭素の粉末を全表面に殆ど均一に安定して保持した。本活性炭素を保持させた粘着性の紙は単独にあるいは、この粘着性紙の両面を紙で被覆保護して消臭性膜として利用できた。
【産業上の利用可能性】
【００３３】
本発明の粘着性紙は柔軟でありクリーニングワイパー並の使い良さで、クリーニング粘着シートなみにゴミ、埃を確実性で捕捉し、必要な大きさに裁断してもゴミ、埃が発生せず、しかも微小な窪みや狭い隙間にも適用できる柔軟で安価なクリーニング材として利用できる。
【００３４】
埃を粘着して捕捉するので、衣服や玩具のホコリ取りとして利用するとき既存の粘着シートはおろかティッシュやワイピングクロス等に比較して埃を容易に格段に安定して除去できる。フイルター材としたときも、従来の単に繊維間に引っ掛るように異物を捕捉するのではなく、粘着して捕捉するためにフイルター効果が確実であり、より空気抵抗が少ないのにフィルター効率の高いフイルター材として利用できる。
【００３５】
特に、一度捕獲した埃、粉体などが再落下する危険性が非常が少なく、ハサミ等で切断しても、埃などを出さないものであり、家庭内や一般事務所はもとより、極端に塵、埃を嫌う医薬品や、電子部品等の高度な空気清浄度を要求される高度なクリーンルーム内等の空間でも安心して、しかも効率的に清掃用具として、更には帽子、衣服等の着衣として、あるいは医薬品製造用具として使用できるような安価な材料として利用できる。
【００３６】
また、ほとんどの種類の粉体を確実に、しかも非常に薄い厚みで、比表面積（粉体の固まりの表面部面積／粉体の体積）を大にして保持でき、本発明の粘着性の紙は粉体類の保持材として、例えば反応装置内での反応物質、触媒などの保持材として、あるいは洗剤や、抗菌剤・雑菌剤、殺虫剤・防虫剤、香料、染料・顔料、吸着剤、揮発剤などに利用できる材料を提供することである。
【００３７】
また、従来の両面テープと異なり、取り外し、取り付けが可能で、しかも取り扱い性によい安価な両面粘着性の材料としても使用できる安価な材料を提供することである。
【００３８】
更に、該粘着性紙の一部に、例えば、表面層に、より粘着力の少ない薄い布や紙やネット等を配置して、全体としての粉体付着量を変えないで、粘着力を小さくできる。例えば、粘着力が小さいと、この布は床面上などで滑り易くなり、床面などの拭き掃除が容易となる。当然、通常の紙や布と本発明の紙を張り合わせたり、あるいはそれと同じように２層、3層構造の紙を作り実質的には表面の１層部のみで、あるいは２層部のみで本発明の効果を出すように粘着剤を付与して、全体の紙の重量に対する粘着剤の量を８％以下にするなどの工夫して本発明の効果を発揮させることで、より少ない粘着剤で安価に、あるいは別の１層に他の機能、例えば持ちやすさ等の機能を付与して付加価値を高めたものを製造し商品化することも可能である。しかし、これは本発明の効果を発揮する粘着剤が付着した部分だけで考えるべきであり本発明の範疇であり、更に、例えば、表面層に配置する紙や布は、他の粘着力の全くないか／多少ある程度の他のメッシュなどの材料を配置して床掃除をするときにすべり性を改良するなどの応用も考えられるのである。
【図面の簡単な説明】
【００３９】
【図１】本発明で使用する台紙の断面を示す模式図であり、断面に台紙を構成する繊維の断面が見える。
【図２】図１の台紙に粘着剤が付着した一例を模式的に示した図であり、粘着剤が台紙を構成する繊維断面の周囲を覆うように付着されている。
【図３】既存の代表的な粘着シートの断面を模式的に示したものである。
【図４】台紙を構成する繊維断面に粘着剤が付与される図を模式的に示したものである。は本発明の場合は既存品での代表的な場合
【符号の説明】
【００４０】
１    台紙を構成する繊維（断面）
２    粘着剤
３    粘着剤層
４    台紙部分と空間との境界を示す点線
【図１】
2006137894.tif 000003
【図２】
2006137894.tif 000004
【図３】
2006137894.tif 000005
【図４】
2006137894.tif 000006